【事件の表示】
　特願２０１４−　５３９５２「画像処理プログラム、画像処理方法、及び情報処理装置」拒絶査定不服審判事件〔平成２７年１０月　５日出願公開、特開２０１５−１７６４８３〕について、次のとおり審決する。
【結　論】
　本件審判の請求は、成り立たない。
【理　由】
１　手続の経緯
　本願は、平成２６年３月１７日の出願であって、平成２９年７月２１日付けで拒絶理由通知がされ、平成２９年１０月２日付けで手続補正がされたが、平成２９年１０月１０日付けで拒絶査定がされ、これに対し、平成３０年１月１７日に拒絶査定不服審判が請求され、同時に手続補正がされ、当審において、平成３０年１２月２１日付けで拒絶理由が通知され、平成３１年２月１９日付けで手続補正がされたものである。
２　本願発明
　本願の請求項１−７に係る発明は、平成３１年２月１９日付けの手続補正によって補正された特許請求の範囲の請求項１−７に記載された事項により特定されるとおりのものであって、請求項１に係る発明（以下、「本願発明」という。）は、次のとおりのものである。
「【請求項１】
　表示画像のうち、一筆書きによるタッチ操作ごとに、該タッチ操作の軌跡上である幅をもった部分に制限して、前記表示画像の一部の領域を１つの抽出対象領域として特定し、
　特定した前記１つの抽出対象領域の画像データを抽出して記憶部に保存する、
　処理をコンピュータに実行させる画像処理プログラム。」
３　引用文献、引用発明等
（１）引用文献１について
　当審における、平成３０年１２月２１日付けの拒絶理由で引用された、大賀葉子、“Ｏｐｅｎ　Ｓｏｕｒｃｅ　お手軽構築ガイド　熟成ソースでＯＳＸがさらにウマくなる　グラフィック編”、ＭａｃＰｅｏｐｌｅ、株式会社アスキー、２００６年２月１日発行、第１２巻　第２号、第５０−５７頁（以下、「引用文献１」という。）には、図面（写真）とともに、次の事項が記載されている（下線は、当審で付与した。）。
ア　「多角的に展開するＧＩＭＰとＧＴＫ＋
「GNU Image Manipulation Program」の略称であるＧＩＭＰ
画像編集アプリケーション
イ　「レタッチ
　Ｒｅｔｏｕｃｈ
　
デジカメで撮影した写真
ウ　「タッチで切り取る風景写真 
 ＧＩＭＰはアルファチャンネルをサポートしているので、
描いたタッチそのままの形の選択範囲を作ることが可能だ。描いた形を選択範囲に変換して写真を切り抜くと、ブラシの軌跡内に入った写真が出来上がる
  
エ　「チャンネル」パレットの「チャンネルメニュー」から、「新規チャンネル」を選択。黒地に透明か白地に黒の
アルファチャンネル
オ　「
写真に新しいチャンネルを追加したら、「Galaxy,Big」ブラシを使って適当に写真上をなぞり、これを選択範囲に指定して切り抜く
カ　「まめ知識　
GIMPで不透明なアルファチャンネルを作成すると、写真が黒色に塗りつぶされる。
ブラシから形状を選択し、白色で
塗った部分だけ写真が現れるのだ。そしてその現れたところが、選択範囲として利用でき
キ　「入出力
　Ｉｎｐｕｔ／Ｏｕｔｐｕｔ
これまで、インストール方法から実際のレタッチ機能の紹介まで、ＧＩＭＰの基本を見てきたが、
ファイルの保存方法
ＪＰＥＧなどの汎用形式に書き出して
もいい
ファイルの保存
通常のＯＳ Ｘのソフトなどとは、ＧＩＭＰの開く／保存ダイアログは異なる。「Home」内のフォルダー名も英語表記だ。保存先を指定するフォルダーの階層表示と、ファイルタイプの選択といった２つのリストが用意されている」（第５５頁左欄第１−１２行）
 
ク　「タブレットの筆圧感知は使えない
　ＧｌＭＰには
ペンタブレット
をマックにつないでマウスのように利用する
　よって、引用文献１には、次の発明（以下、「引用発明」という。）が載されているものと認められる。
「「GNU Image Manipulation Program」の略称であるＧｌＭＰは、画像編集アプリケーションであって（「ア」より。）、
　ペンタブレットをマックにつないでマウスのように利用し（「ク」より。）、描いたタッチそのままの形の選択範囲を作ることが可能で（「ウ」より。）、
　デジカメで撮影した（「イ」より。）写真に新しいチャンネル（不透明なアルファチャンネル）を追加すると、写真が黒色に塗りつぶされ、形状を選択したブラシを使って適当に写真上をなぞると、白色で塗った部分だけ写真が現れるので、その現れたところが、選択範囲として利用でき（「オ」、「カ」より。）、
　描いた形を選択範囲に変換して写真を切り抜くと、ブラシの軌跡内に入った写真が出来上がる（「ウ」より。）、
ＧｌＭＰ（「ア」より。）」
（２）引用文献２について
　特開２０１３−１０５３２４号公報（原査定の拒絶の理由に引用された文献。以下、「引用文献２」という。）には、図面とともに、次の事項が記載されている（下線は、当審で付与した。）。
「【００３６】
  図４（Ａ）は範囲選択処理の一例を示す図である。この
範囲選択処理は、
切り抜きモードの開始が選択された場合に実行され
【００３７】
  画像処理装置１は、タッチパネル１１に対し、ユーザによるタッチ入力が行われるまで待機する（ステップＳ１）。
タッチ入力が行われると、
切り出し範囲描画処理部１３は、タッチ位置の座標を取得して記憶部１５に記録する。
【００３８】
  
切り出し範囲描画処理部１３は、このタッチ入力がリリースされたか否かを判別する
戻る。
【００３９】
  一方、
リリースされた場合、切り出し範囲描画処理部１３は、メニューキー１７ａによって切り抜きモードの終了が選択されたか否かを判別する
切り抜きモードの終了が選択された場合、画像処理装置１は本動作を終了する。
　したがって、引用文献２には、次の技術事項が記載されているものと認められる。
「範囲選択処理は、切り抜きモードの開始が選択された場合に実行され（段落【００３６】より。以下、同様。）、タッチ入力が行われると、切り出し範囲描画処理部１３は、タッチ位置の座標を取得して記憶部１５に記録し（【００３７】）、切り出し範囲描画処理部１３は、このタッチ入力がリリースされたか否かを判別し（【００３８】）、リリースされた場合、切り出し範囲描画処理部１３は、メニューキー１７ａによって切り抜きモードの終了が選択されたか否かを判別し、切り抜きモードの終了が選択された場合、画像処理装置１は本動作を終了する（【００３９】）。」
（３）引用文献３について
　本出願前に頒布された刊行物である、特開２０１０−２３７９２８号公報（以下、「引用文献３」という。）には、図面とともに、次の事項が記載されている（下線は、当審で付与した。）。
「【００２１】
  タッチパネル１１は、データの表示と、ユーザの指やタッチペンなどの接触による入力の受付とを実行する部分であり、表示領域１１ａを備えている。タッチパネル１１は、ユーザの指示などにより読み出されたデータを自機内又は他の装置のメモリ（図示せず）から読み出して表示領域１１ａに表示する。
【００２２】
  検知部１２は、タッチパネル１１の表示領域１１ａに対する物理的な接触の位置を検知する部分である。位置を検知する方式は限定されないが、例えば抵抗皮膜方式、表面弾性波方式、静電容量方式などの周知技術を用いることが考えられる。
ユーザの指やタッチペンなどが表示領域１１ａに触れている
【００２３】
  計測部１３は、表示領域１１ａへの接触の継続時間を計測する部分である。計測部１３は同じ接触位置データが入力され続けている時間に基づいて接触継続時間を計測する。そして、計測部１３は接触位置及び接触継続時間のデータを逐次決定部１４に出力する。
【００２４】
  決定部１４は、計測部１３により計測された継続時間が所定の閾値以上である場合に、検知部１２により検知された接触位置を含む所定の範囲を拡大対象領域として決定する部分である。決定部１４は時間判定用の閾値Ｔを予め記憶しており、入力された接触継続時間が閾値Ｔ以上であるか否かを判定する。そして、
接触継続時間が閾値Ｔ以上であれば、
接触位置を中心とする拡大対象領域の範囲を算出し、
「【００３２】
  記憶部１６は、接触継続時間が所定の閾値Ｔ以上であることに応じて
拡大表示領域が表示されてから物理的な接触がなくなるまでの間に拡大表示領域に表示された情報を記憶する
保持している情報を所定のメモリ（クリップボード）に記憶する。
【００３３】
  なお、記憶部１６は
接触がなくなった場合にまずコピー機能を実行するか
ユーザの指示の入力を受け付けて
　よって、引用文献３には、次の技術事項が記載されているものと認められる。
「ユーザの指やタッチペンなどが表示領域１１ａに触れている（段落【００２２より。以下、同様。）接触継続時間が閾値Ｔ以上であれば、接触位置を中心とする拡大対象領域の範囲を算出し（【００２４】）、拡大表示領域が表示されてから物理的な接触がなくなるまでの間に拡大表示領域に表示された情報を記憶し（【００３２】）、接触がなくなった場合に、コピー機能を実行するユーザの指示の入力を受け付けて（【００３３】）、保持している情報を所定のメモリ（クリップボード）に記憶する（【００３２】）。」
４　対比・判断
（１）対比
　本願発明と引用発明とを対比する。
ア　引用発明における「デジカメで撮影した写真」は、「マック」（当審注：アップル社が開発・販売するパーソナル・コンピュータの愛称であることは、周知のことである。）で表示される画像であるから、本願発明における「表示画像」に相当する。
イ　本願明細書の段落【００１８】には「タッチ位置取得部１３は、
ユーザの指やユーザが操作するタッチペン等による表示部１６の画面上のタッチ操作
ウ　引用発明における「ブラシの軌跡」の幅が「選択した」「ブラシ」の「形状」の幅となっていることは明らかである。よって、上記「イ」を踏まえると、引用発明において、「ペンタブレット」の「ペン」操作により「ブラシを使って適当に写真上をなぞ」った部分と、本願発明における「タッチ操作の軌跡上である幅をもった部分」とは、「手書き操作の軌跡上である幅をもった部分」の点で共通するといえる。
エ　上記「ア」−「ウ」を踏まえると、引用発明における「ペンタブレットをマックにつないで」、「ペンタブレット」の「ペン」操作により、「形状を選択したブラシを使って適当に写真上をなぞ」り、「ブラシの軌跡内」、つまり「描いたタッチそのままの形の選択範囲を作る」ことと、本願発明における「表示画像のうち、一筆書きによるタッチ操作ごとに、該タッチ操作の軌跡上である幅をもった部分に制限して、前記表示画像の一部の領域を１つの抽出対象領域として特定」することとは、「表示画像のうち、手書き操作の軌跡上である幅をもった部分に制限して、前記表示画像の一部の領域を１つの抽出対象領域として特定」する点で共通する。
オ　引用発明における「描いた形を選択範囲に変換して写真を切り抜く」ことで「ブラシの軌跡内に入った写真が出来上がる」ことが、本願発明における「特定した前記１つの抽出対象領域の画像データを抽出」することに相当する。
カ　引用発明における「ＧｌＭＰ」は、「画像編集アプリケーションであって」、「GNU Image Manipulation Program」の「略称」であるから、本願発明における「処理をコンピュータに実行させる画像処理プログラム」に相当する。
　したがって、本願発明と引用発明との間には、次の一致点、相違点がある。
（一致点）
「表示画像のうち、手書き操作の軌跡上である幅をもった部分に制限して、前記表示画像の一部の領域を１つの抽出対象領域として特定し、
　特定した前記１つの抽出対象領域の画像データを抽出する、
　処理をコンピュータに実行させる画像処理プログラム。」
（相違点１）
　本願発明では、手書き操作が「タッチ操作」であるのに対し、引用発明では、タブレット上で「ペン」を操作して入力を行なっているものの、「タッチ操作」であるとはされていない点。
（相違点２）
　本願発明では、「一筆書きによるタッチ操作ごとに」、１つの抽出対象領域の特定しているのに対し、引用発明では、「ペンタブレット」の「ペン」操作により、「描いたタッチそのままの形」（すなわち、「ブラシの軌跡内」）の「選択範囲を作」っているものの、どのような「ペン」操作ごとに選択範囲を作るのか、示されていない点。
（相違点３）
　本願発明では、抽出された画像データを「記憶部に保存する」のに対し、引用発明では、「写真を切り抜」いて「出来上が」った、「ブラシの軌跡内に入った写真」を、記憶部に保存することは示されていない点。
（２）判断
ア　相違点１について
　例えば、特開２０１１−５５１８２号公報の段落【００６２】に「・・・例えば、当該操作は、複数のボタンを同時に押す操作、
タッチパネルやペンタブレットにおけるタッチ操作
　よって、相違点１は、実質的な相違点ではない。
イ　相違点２について
（ア）本願発明における「一筆書きによるタッチ操作」とは、本願明細書の段落【００７１】に「なお、タッチ操作による軌跡上の部分とは、例えば画面に対して連続的にタッチ操作された、いわゆる一筆書きによる軌跡上の部分である。」と記載されていることから、「連続的」な「タッチ操作」をいうものと認められる。
　この点を踏まえて、以下検討する。
（イ）引用文献２及び引用文献３に記載された技術事項を再掲すれば、次のとおりである。
（引用文献２に記載された技術事項）
　「範囲選択処理は、切り抜きモードの開始が選択された場合に実行され、タッチ入力が行われると、切り出し範囲描画処理部１３は、タッチ位置の座標を取得して記憶部１５に記録し、切り出し範囲描画処理部１３は、このタッチ入力がリリースされたか否かを判別し、リリースされた場合、切り出し範囲描画処理部１３は、メニューキー１７ａによって切り抜きモードの終了が選択されたか否かを判別し、切り抜きモードの終了が選択された場合、画像処理装置１は本動作を終了する。」
（引用文献３に記載された技術事項）
　「ユーザの指やタッチペンなどが表示領域１１ａに触れている接触継続時間が閾値Ｔ以上であれば、接触位置を中心とする拡大対象領域の範囲を算出し、拡大表示領域が表示されてから物理的な接触がなくなるまでの間に拡大表示領域に表示された情報を記憶し、接触がなくなった場合に、コピー機能を実行するユーザの指示の入力を受け付けて、保持している情報を所定のメモリ（クリップボード）に記憶する。」
（ウ）引用文献２、引用文献３に記載されているように、本出願前において、タッチ入力（接触）が行われてから、タッチ入力がリリースされる（物理的な接触がなくなる）までに選択された範囲を「切り出し範囲」（「情報」の「クリップ」範囲）とすることは、周知技術であると認められる。
（エ）そして、画像編集アプリケーションにおける操作を簡単なものとすることは一般的な課題であるから、引用発明に上記周知技術を適用し、引用発明において、「ペンタブレット」の「ペン」操作（上記「ア」で述べたとおり、「タッチ操作」といえる。）によって、タッチ入力（接触）が行われてから、タッチ入力がリリースされる（物理的な接触がなくなる）までごとに（つまり、「連続的」な「タッチ操作」ごとに）「描いたタッチそのままの形」（すなわち、ブラシの軌跡内）で「選択範囲を作」るようにして、上記相違点２に係る本願発明の構成とすることは、当業者が容易になし得たことである。
ウ　相違点３について
　引用文献１の摘記事項「キ」に、「ファイルの保存方法」として「ＪＰＥＧなどの汎用形式に書き出」すことが記載されているように、ファイルを書き出して記憶部に保存することは、周知技術である。
　よって、引用発明において、「写真を切り抜」いて「出来上が」った、「ブラシの軌跡内に入った写真」を書き出して記憶部に保存し、上記相違点３に係る本願発明の構成とすることは、当業者が容易になし得たことである。
エ　そして、これらの相違点を総合勘案しても、本願発明の奏する作用効果は、引用発明及び周知技術の奏する作用効果から予測される範囲内のものにすぎず、格別顕著なものということはできない。
オ　したがって、本願発明は、引用発明及び周知技術に基づいて、当業者が容易に発明をすることができたものである。
５　まとめ
　以上のとおり、本願発明は、特許法第２９条第２項の規定により、特許を受けることができないから、他の請求項に係る発明について検討するまでもなく、本願は拒絶されるべきものである。
　よって、結論のとおり審決する。